(57)【要約】【課題】蓄電素子及び電源関連装置の情報を総合的に提示することを可能とする情報処理装置、情報処理システム及び情報処理方法及びコンピュータプログラムを提供する。【解決手段】蓄電素子及び電源関連装置の情報を外部からの要求に応じて送信する情報処理装置は、前記蓄電素子又は電源関連装置の状態を含む情報を通信により取得する取得部と、取得した情報を、前記蓄電素子及び電源関連装置を夫々識別する情報と対応付けて記憶媒体に記憶する記憶処理部と、前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する送信処理部とを備える。【選択図】図１
2019115215.tif 000002
【特許請求の範囲】
【請求項１】
蓄電素子及び電源関連装置の情報を外部からの要求に応じて送信する情報処理装置であって、
前記蓄電素子又は電源関連装置の状態を含む情報を通信により取得する取得部と、
取得した情報を、前記蓄電素子及び電源関連装置を夫々識別する情報と対応付けて記憶媒体に記憶する記憶処理部と、
前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する送信処理部と
を備える情報処理装置。
【請求項２】
前記蓄電素子が、複数の蓄電セルを含むモジュールを複数接続して構成され、前記表示情報は、前記蓄電素子の接続の構成に基づき階層状に情報を対応付けて表示させる情報である
請求項１に記載の情報処理装置。
【請求項３】
前記蓄電素子が、複数の蓄電セルを含むモジュールを複数直列に接続したバンクを並列に接続して構成される
請求項２に記載の情報処理装置。
【請求項４】
前記表示情報には、前記蓄電素子又は電源関連装置に設けられている通信機器への接続情報が含まれている
請求項１から３のいずれか１項に記載の情報処理装置。
【請求項５】
蓄電素子及び電源関連装置に設けられている複数の通信デバイスと、該複数の通信デバイスと通信接続が可能な情報処理装置とを含み、
該情報処理装置は、
前記通信デバイスが設けられている蓄電素子又は電源関連装置の状態を含む情報を、前記通信デバイスを介して取得する取得部と、
取得した情報を、前記蓄電素子及び電源関連装置を夫々識別する情報と対応付けて記憶媒体に記憶する記憶処理部と、
要求に応じて、前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する送信処理部と
を備える情報処理システム。
【請求項６】
蓄電素子及び電源関連装置の情報を、情報処理装置が要求に応じて送信する情報処理方法であって、
前記蓄電素子又は電源関連装置に設けられている複数の通信デバイスを用いて、前記蓄電素子又は電源関連装置の状態を含む情報を通信により取得し、
取得した情報を、前記蓄電素子及び電源関連装置を夫々識別する情報と対応付けて記憶媒体に記憶し、
前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する
情報処理方法。
【請求項７】
表示部を備えるコンピュータに、蓄電素子及び電源関連装置の情報を表示させるコンピュータプログラムであって、
前記コンピュータに、
前記蓄電素子及び電源関連装置の情報を、該蓄電素子若しくは電源関連装置を含むシステム毎、又は前記蓄電素子若しくは電源関連装置が設置されている場所毎に、要求するステップ、及び
要求に応じて送信された情報を、前記システム毎、又は場所毎に一括して表示するステップ
を実行させるコンピュータプログラム。
【発明の詳細な説明】
【技術分野】
【０００１】
本発明は、蓄電素子及び電源関連装置の情報を提示する情報処理装置、情報処理システム、情報処理方法及びコンピュータプログラムに関する。
【背景技術】
【０００２】
蓄電素子は、無停電電源装置、安定化電源に含まれる直流又は交流電源装置等に広く使用されている。また、再生可能エネルギー又は既存の発電システムにて発電された電力を蓄電しておく大規模なシステムでの蓄電素子の利用が拡大している。
【０００３】
無停電電源装置、安定化電源、又は発電システムにおいては、蓄電素子の保守活動が重要になる。これらのシステムに含まれる蓄電素子の充電状態（ＳＯＣ：State Of Charge）、又は寿命予測の情報について、サーバ装置経由で、蓄電素子のユーザ又は保守担当者が遠隔から取得することを可能とする技術が多数提案されている。
【０００４】
例えば特許文献１には、蓄電素子の劣化率の予測値をサーバ装置及びネットワークを経由してオペレータが遠隔からその情報を視認することを実現するシステムが提案されている。
【０００５】
特許文献２には、無停電電源装置における蓄電素子の交換を確実に実行するために、サービスセンタ及びネットワークを経由してモニタリングプログラムに基づきバッテリ交換の時期を予告し、ユーザとオペレータがメール等を用いて情報を交換するシステムが開示されている。
【先行技術文献】
【特許文献】
【０００６】
【特許文献１】特開２０１５−１２１５２０号公報
【特許文献２】特開２００２−２８７８５７号公報
【発明の概要】
【発明が解決しようとする課題】
【０００７】
特許文献１，２に開示されているように、蓄電素子自体又は蓄電素子を用いる装置について、ユーザ又は保守担当者が状態を遠隔から把握するためのシステムが提案され、実現している。しかしながら、蓄電素子及び電源関連装置における各種情報を一括して提示できるシステムについては、これまで実現されてこなかった。
【０００８】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。鉄道用途においても、非常に多くの蓄電素子と、直流又は交流電源装置である整流器とが設置されて利用される。従来の保守支援システムでは、分散電源システム又は事業主体にこのように多くの蓄電素子と電源関連装置が設置されるケースを想定していない。
【０００９】
ＩｏＴ（Internet of Things）の社会への浸透と平行して、蓄電素子及び電源関連装置の遠隔監視の実現とそれによる付加価値サービスの実現に対する期待が高まっている。
【００１０】
本発明は、蓄電素子及び電源関連装置の情報を総合的に提示することを可能とする情報処理装置、情報処理システム、情報処理方法及びコンピュータプログラムを提供することを目的とする。
【課題を解決するための手段】
【００１１】
本開示に係る情報処理装置は、蓄電素子及び電源関連装置の情報を送信する。情報の送信は、外部からの要求に応じて、又はイベントとして実行される。情報処理装置は、前記蓄電素子又は電源関連装置の状態を含む情報を通信により取得する取得部と、取得した情報を、前記蓄電素子及び電源関連装置を夫々識別する情報と対応付けて記憶媒体に記憶する記憶処理部と、前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する送信処理部とを備える。
【００１２】
どのような範囲の蓄電素子及び電源関連装置の情報を一括表示させるか（例えば、工場エリア毎、オフィス毎、事業拠点毎、又は事業主体毎など）は、オペレータなど人手によって設定可能であってもよく、自動的に設定されてもよい。
【００１３】
上記構成により、蓄電素子及び電源関連装置夫々の状態を含む情報が、情報処理装置によって収集され、前記蓄電素子若しくは電源関連装置を含むシステム毎、又は前記蓄電素子若しくは電源関連装置が設置されている場所毎に、一括して表示させるための表示情報として他装置へ送信される。蓄電素子及び電源関連装置が相互に関連して動作しているシステムでは、一括して表示されることで、蓄電素子及び電源関連装置の状態把握がより効率的になる。また、電力に関する異なる監視対象の状態を一括表示させることで、システム全体の保守（計画的な保守、予防保守を含む）が行ない易くなる。
【００１４】
前記蓄電素子は、鉛蓄電池及びリチウムイオン電池のような二次電池や、キャパシタのような、再充電可能なものであることが好ましい。監視対象の蓄電素子の一部が、再充電不可能な一次電池であってもよい。鉛蓄電池とリチウムイオン電池のように、異なる種類の蓄電素子の情報を一括して表示させるための表示情報が要求元へ送信されてもよい。前記蓄電素子は、蓄電セルを複数接続した蓄電モジュール、又は該蓄電モジュールを複数接続した蓄電モジュール群であってもよい。
【００１５】
前記蓄電素子が、複数の蓄電セルを含むモジュールを複数接続して構成されている場合、前記表示情報は、前記蓄電素子の接続の構成に基づき階層状に情報を対応付けて表示させる情報であってもよい。
【００１６】
大規模な蓄電システムであれば、複数の蓄電セルを含む蓄電モジュールを複数直列に接続したもの（バンク）を更に複数並列に接続して蓄電素子が構成される。蓄電素子の状態を含む各種情報がその接続構成に従って表示されることで、どのバンク、どのモジュール、どのセルについて保守が必要かを把握することがより効率的になる。
【００１７】
前記表示情報には、前記蓄電素子又は電源関連装置に設けられている通信機器への接続情報が含まれていてもよい。
【００１８】
上記構成により、蓄電素子及び電源関連装置に設けられた通信機器との接続を、情報処理装置経由で提供することもでき、遠隔からシステム全体での状態把握と各機器の個別の状態把握とを適切に選択させることが可能である。
【００１９】
本開示に係る情報処理システムは、蓄電素子及び電源関連装置に設けられている複数の通信デバイスと、該複数の通信デバイスと通信接続が可能な情報処理装置とを含む。該情報処理装置は、前記通信デバイスが設けられている蓄電素子又は電源関連装置の状態を含む情報を、前記通信デバイスを介して取得する取得部と、取得した情報を、前記蓄電素子及び電源関連装置を夫々識別する情報と対応付けて記憶媒体に記憶する記憶処理部と、要求に応じて、前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する送信処理部とを備える。
【００２０】
本開示に係る情報処理方法は、蓄電素子及び電源関連装置の情報を、情報処理装置が要求に応じて送信する。具体的には、前記蓄電素子又は電源関連装置に設けられている複数の通信デバイスを用いて、前記蓄電素子又は電源関連装置の状態を含む情報を通信により取得し、取得した情報を、前記蓄電素子及び電源関連装置を夫々識別する情報と対応付けて記憶媒体に記憶し、前記記憶媒体に記憶してある情報を、前記蓄電素子若しくは電源関連装置を含むシステム毎、又は前記蓄電素子若しくは電源関連装置が設置されている場所毎に一括して表示させるための表示情報を要求元へ送信する。
【００２１】
本開示に係るコンピュータプログラムは、表示部を備えるコンピュータに、蓄電素子及び電源関連装置の情報を表示させる。コンピュータプログラムは、前記コンピュータに、前記蓄電素子及び電源関連装置の情報を、該蓄電素子若しくは電源関連装置を含むシステム毎、又は前記蓄電素子若しくは電源関連装置が設置されている場所毎に、要求するステップを実行させ、要求に応じて送信された情報を、前記システム毎、又は場所毎に一括して表示するステップを実行させる。
【００２２】
電源関連装置は、無停電電源装置、直流を交流へ変換（又は逆変換）する等の所謂パワーコンディショナ（インバータ）、交流を直流へ又は異なる特徴の交流へ変換する等の整流器のいずれか１つ又は複数であってもよい。電源関連装置は、蓄電素子と電気的に接続されていることが好ましい。大規模な蓄電システムでは複数の蓄電素子とパワーコンディショナを含み、更に整流器を含む。そのシステム毎、又は装置が設置されている場所（建物、管理者等）毎に、それら蓄電素子と電源関連装置の情報が一括して表示される。
【図面の簡単な説明】
【００２３】
【図１】本実施形態に係る監視システムの概要を示す図である。
【図２】監視システムの構成を示すブロック図である。
【図３】通信デバイスの接続形態の一例を示す図である。
【図４】サーバ装置における情報提示の処理手順の一例を示すフローチャートである。
【図５】ログイン後に表示される画面例を示す図である。
【図６】システム毎に一括して表示される画面例を示す図である。
【図７】システム毎に一括して表示される他の画面例を示す図である。
【図８】詳細情報の表示例を示す図である。
【図９】詳細情報の表示例を示す図である。
【図１０】詳細情報の表示例を示す図である。
【図１１】詳細情報の表示例を示す図である。
【図１２】寿命予測の依頼を受け付ける画面の例を示す図である。
【図１３】寿命予測により得られるデータの内容例を示す図である。
【発明を実施するための形態】
【００２４】
本発明をその実施の形態を示す図面を参照して具体的に説明する。
【００２５】
図１及び図２は、本実施形態に係る監視システム１００の概要を示す図である。監視システム１００は、監視対象のシステム又は装置夫々に搭載／接続されている通信デバイス１と、通信デバイス１から情報を収集するサーバ装置２（情報処理装置）と、収集された情報を取得するクライアント装置３とを含む。サーバ装置２はＷｅｂサーバ機能を含み、各装置に搭載／接続された通信デバイス１によって得られる情報を、クライアント装置３からのアクセスに応じて提示する。
【００２６】
通信デバイス１は、メガソーラー発電システムＳ及び火力発電システムＦに夫々併設されている蓄電システム１０１に搭載される。詳細には通信デバイス１は、パワーコンディショナ（ＰＣＳ：Power Conditioning System ）Ｐ及び蓄電モジュール群Ｌ夫々に搭載／接続されている。蓄電モジュール群Ｌは例えば、夫々が複数のリチウムイオン電池のセルを含んだ蓄電モジュールを直列に接続したバンクと、複数のバンクを並列に接続したドメインとの階層構造にて構成されている。そのバンク及びドメイン毎に管理装置Ｍ（図３参照）が設けられ、ドメインの管理装置Ｍに通信デバイス１が設けられている。蓄電システム１０１は、蓄電モジュール群Ｌを収容したコンテナＣを複数並設して構成されている。
【００２７】
通信デバイス１は、無停電電源装置（ＵＰＳ：Uninterruptible Power Supply）Ｕ、鉄道用の安定化電源システム等に配設される整流器（直流電源装置、又は交流電源装置）Ｄ等の装置夫々にも搭載されている。
【００２８】
従来、発電システムＳ，Ｆの発電量、蓄電システム１０１における蓄電素子の状態（ＳＯＣ、ＳＯＨ（State Of Health ））、ＵＰＳの状態等について、各装置が自己診断機能を備え、異常が発生した場合に報知するようにしていた。各自己診断機能は、遠隔からの通信接続を可能とする接続部を介してサーバ装置、又はユーザ若しくはオペレータ（保守担当者）へメール等を用いて通知するケースもあった。しかしながらそれらは装置夫々独立に行なわれるものであった。他方、本実施形態の監視システム１００では、各装置に搭載
又は接続した通信デバイス１を利用し、蓄電システム１０１におけるＳＯＣ等の状態、検知された異常といった情報に加え、電源関連装置の状態を含む様々な情報を総合的に、ユーザ又はオペレータ（保守担当者）が確認できるように提示する。
【００２９】
図２に示す通信デバイス１は、蓄電素子に備えられる電池管理装置（ＢＭＵ：Battery Management Unit ）と通信して蓄電素子の情報を受信する端末装置（計測モニタ）であってもよいし、電源関連装置に接続可能なネットワークカード型の通信デバイスであってもよい。通信デバイス１は、制御部１０、記憶部１１、第１通信部１２及び第２通信部１３を備える。制御部１０はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００３０】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、Linux （登録商標）等を用いた組み込み系ＯＳ（Operating System）、ＯＳ上で動作するＷｅｂサーバ、ＳＳＨ（Secure Shell）、ＳＮＭＰ（Simple Network Management Protocol）等に準じた通信用プログラムが含まれる。デバイスプログラム１Ｐにはメーラプログラムが含まれてもよく、異常が発生した場合に、予め設定されてあるメールアドレスへ向けて電子メールが自動的に送信されてもよい。これらのプログラムは、制御部１０内蔵のメモリ（ＲＯＭ）に記憶されていてもよい。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。
【００３１】
第１通信部１２は、通信デバイス１が搭載されている装置（監視対象装置）との通信を実現する通信インタフェースであり、例えばＲＳ−２３２Ｃ又はＲＳ−４８５等のシリアル通信インタフェースを用いる。例えば蓄電モジュール群Ｌに含まれる各蓄電モジュールは、ＲＳ−２３２Ｃに準拠した通信機能を有する制御基板を内蔵し、第１通信部１２は複数の蓄電モジュールと通信してもよい。
【００３２】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２と通信接続が可能である。
【００３３】
このように構成される通信デバイス１では、制御部１０が第１通信部１２を介して、通信デバイス１が搭載又は接続されている装置にて得られる情報を取得する。制御部１０は、Ｗｅｂサーバ用プログラムを読み出して実行して、Ｗｅｂサーバとしてサーバ装置２又はクライアント装置３からの接続を受け、情報を提示することも可能である。制御部１０は、ＳＳＨにより遠隔からシャットダウンの機能を受けることが可能である。制御部１０は、ＳＮＭＰ用プログラムを読み出して実行することにより、ＳＮＭＰエージェントとして機能し、サーバ装置２からの情報要求に対して応答することも可能である。
【００３４】
図３は、通信デバイス１の接続形態の一例を示す図である。図３では、通信デバイス１と蓄電モジュール群Ｌの管理装置Ｍとの接続例を示す。管理装置Ｍは、番号（＃）１からＮのバンク夫々と、バンクを並列に接続したドメインとに１つずつ設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール及び内部のセルの状態（電流、電圧、温度）の取得、各々の状態に応じたバンク毎のバランス調整、通信状態の異常の検知等の管理処理を実行する。バンクの管理装置Ｍは夫々、ドメイン単位で設けられている管理装置Ｍへ各々のバンクの蓄電モジュールの情報を送信する。ドメインの管理装置Ｍは、そのドメインに所属するバンクの管理装置Ｍから得られる情報を集約する。通信デバイス１はドメイン毎の管理装置Ｍからそれらの情報を収集し、サーバ装置２又はクライアント装置３へ提供することが可能である。
【００３５】
図２に示すサーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させた構成としてもよい。
【００３６】
制御部２０は、ＣＰＵを用いたプロセッサであり、内蔵するＲＯＭ及びＲＡＭ等のメモリを用い、各構成部を制御して処理を実行する。制御部２０は、記憶部２１に記憶されているサーバプログラム２Ｐに基づく情報処理を実行する。サーバプログラム２ＰにはＷｅｂサーバプログラムが含まれ、制御部２０は、クライアント装置３へのＷｅｂページの提供、Ｗｅｂサービスへのログインの受け付け等を実行するＷｅｂサーバとして機能する。制御部２０は、サーバプログラム２Ｐに基づき、ｈｔｔｐ／ｈｔｔｐｓ通信により通信デバイス１から情報の収集を行なう。
【００３７】
記憶部２１は、例えばハードディスク又はフラッシュメモリ等の不揮発性メモリを用いる。記憶部２１には、上述したサーバプログラム２Ｐが記憶されているほか、制御部２０の処理によって収集される監視対象となるパワーコンディショナＰ、蓄電モジュール群Ｌ、無停電電源装置Ｕ及び整流器Ｄの状態を含むデータを記憶する。
【００３８】
通信部２２は、ネットワークＮを介した通信接続及びデータの送受信を実現する通信デバイスである。具体的には通信部２２は専用線及び一般光回線に対応した通信機器である。
【００３９】
クライアント装置３は、発電システムＳ，Ｆの蓄電システム１０１の管理者、安定化電源システムの管理者、又は無停電電源装置Ｕの保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００４０】
制御部３０は、ＣＰＵを用いたプロセッサである。制御部３０は、記憶部３１に記憶されているＷｅｂブラウザプログラムに基づき、サーバ装置２又は通信デバイス１により提供されるＷｅｂページを表示部３３に表示させる。
【００４１】
記憶部３１は、例えばハードディスク又はフラッシュメモリ等の不揮発性メモリを用いる。記憶部３１には、Ｗｅｂブラウザプログラムを含む各種プログラムが記憶されている。
【００４２】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２又は通信デバイス１との間で通信接続又は情報の送受信が可能である。
【００４３】
表示部３３は、液晶ディスプレイ、有機ＥＬ（Electro Luminescence）ディスプレイ等のディスプレイを用いる。表示部３３は制御部３０のＷｅｂブラウザプログラムに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４４】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部２０へ通知する。
【００４５】
図１に示すようにネットワークＮは、所謂インターネットである公衆通信網Ｎ１と、所定の移動通信規格による無線通信を実現するキャリアネットワークＮ２とを含む。公衆通信網Ｎ１は、一般光回線を含み、またネットワークＮは、サーバ装置２が接続する専用線を含む。キャリアネットワークＮ２には基地局ＢＳが含まれ、クライアント装置３は基地局ＢＳからネットワークＮを介したサーバ装置２との通信を可能とする。公衆通信網Ｎ１にはアクセスポイントＡＰが接続されており、クライアント装置３はアクセスポイントＡＰからネットワークＮを介してサーバ装置２との間で情報を送受信することも可能である。
【００４６】
このように構成される監視システム１００は、サーバ装置２にて、パワーコンディショナＰ、蓄電モジュール群Ｌ、無停電電源装置Ｕ、及び整流器Ｄの状態を含む様々な情報を定期的に、又はクライアント装置３からの要求に応じて取得し、記憶部２１に記憶する。記憶部２１には、情報の取得先の装置（Ｐ，Ｍ，Ｕ，Ｄ）を識別する情報及び取得した時間情報が対応付けて記憶される。記憶部２１に記憶してある最新のデータ及びその履歴は、クライアント装置３からＷｅｂページ又はデータ（ダウンロード）として取得できるようにサーバ装置２が処理する。このためサーバ装置２は、通信デバイス１を用いて蓄電素子若しくは各電源関連装置から取得した情報を総合的に、クライアント装置３へ提示することができる。
【００４７】
図４は、サーバ装置２における情報提示の処理手順の一例を示すフローチャートである。サーバ装置２は、所定の周期で接続可能な通信デバイス１を介して蓄電モジュール群Ｌに配設されている管理装置Ｍ、パワーコンディショナＰ、無停電電源装置Ｕ及び整流器Ｄ夫々の制御部から、異常が検知された場合の情報及び各時点での状態の情報を取得し、逐次記憶部２１にデータとして記憶する。そしてサーバ装置２の制御部２０は、クライアント装置３からログイン要求を受けると、以下の処理を開始する。
【００４８】
制御部２０は、Ｗｅｂサーバとしてクライアント装置３にてログイン情報を受け付けるためのログインページの情報をクライアント装置３へ送信する（ステップＳ２０１）。クライアント装置３の表示部３３に表示されたログイン画面にて操作部３４での操作に基づき、制御部２０はログイン情報を受信する（ステップＳ２０２）。
【００４９】
制御部２０は、受信したログイン情報に基づき、該ログイン情報に対応付けて記憶されているアクセス権限を有するシステム又は単体装置の識別情報を抽出する（ステップＳ２０３）。制御部２０は、抽出された識別情報に対応するシステム又は装置夫々の情報を表示するための他のＷｅｂページへのリンク情報を一括で含むＷｅｂページの情報を、クライアント装置３へ送信する（ステップＳ２０４）。このとき送信されるＷｅｂページに含まれるリンク情報の一覧は、蓄電モジュール群Ｌ、パワーコンディショナＰ、無停電電源装置Ｕ、及び整流器Ｄを区別なく、それらを使用しているシステム（ロケーション）単位で示すものである。これにより、蓄電モジュール群Ｌの状態、無停電電源装置Ｕ等の状態を総合的に、クライアント装置３を使用するオペレータ（保守担当者）が一括に確認することが可能になる。ログイン情報に対応付けられているアクセス権限を有するシステム又は単体装置が単一である場合、ステップＳ２０４では、その単一のシステム又は単体装置についてのＷｅｂページを表示するための情報がクライアント装置３へ送信される（Ｓ２０６又はＳ２１１）。
【００５０】
制御部２０は、ステップＳ２０４で送信した情報に基づきクライアント装置３で表示されているＷｅｂページにて、蓄電モジュール群Ｌを含むシステムへのリンクが選択されたか否かを判断する（ステップＳ２０５）。蓄電モジュール群Ｌを含むシステムへのリンクが選択されたと判断された場合（Ｓ２０５：ＹＥＳ）、制御部２０は、該システムの情報を階層化したＷｅｂページをクライアント装置３へ送信する（ステップＳ２０６）。階層化されたＷｅｂページは、蓄電モジュール群Ｌの階層構造に合わせたページであって、例えばドメイン、バンク及び蓄電モジュールの順に選択が可能であり、選択に応じて下層が選択可能となるようにしてある。各システムの階層構造は、通信デバイス１が設けられている装置の接続態様によって決まる。これらの表示例については後述の画面例にて詳細に説明する。
【００５１】
制御部２０は、蓄電モジュール群Ｌを含むシステムの情報のＷｅｂページ内で、該システムに含まれる蓄電モジュール単体、又は管理装置Ｍに対応する階層の詳細情報の選択を受け付ける（ステップＳ２０７）。詳細情報が選択されると制御部２０は、詳細情報としてその階層における状態（構成、総電圧、ＳＯＣ、温度等）を示すＷｅｂページをクライアント装置３へ送信する（ステップＳ２０８）。ステップＳ２０８では他の詳細情報として、対応する階層の通信デバイス１のＷｅｂサーバへのリンク情報をクライアント装置３へ送信してもよい（Ｓ２０８）。通信デバイス１のＷｅｂサーバからは前述したように、通信デバイス１が搭載／接続されている装置にて取得できる情報を提示するＷｅｂページを取得することが可能である。
【００５２】
制御部２０は、その後、クライアント装置３にてログアウト又はＷｅｂブラウザの終了操作がされたか否かを判断し（ステップＳ２０９）、操作がされたと判断された場合（Ｓ２０９：ＹＥＳ）、処理を終了する。
【００５３】
ログアウト又はＷｅｂブラウザの終了操作がされていないと判断された場合（Ｓ２０９：ＮＯ）、制御部２０は、他のページへの遷移の指示を受け付けたか否かを判断する（ステップＳ２１０）。他のページへの遷移の指示を受け付けたと判断された場合（Ｓ２１０：ＹＥＳ）、制御部２０は処理をステップＳ２０５へ戻し、Ｗｅｂブラウザからの操作に応じて他のシステムのページ等を送信する。他のページへの遷移の指示を受け付けていないと判断された場合（Ｓ２１０：ＮＯ）、制御部２０は処理をステップＳ２０７へ戻す。詳細情報の選択が受け付けられない間は、蓄電モジュール群Ｌを含むシステムの情報のＷｅｂページの表示状態のままとなる。
【００５４】
このとき遷移先の他のページには、各システムに対応付けて処理され、記憶されているログ情報、統計情報、システムに含まれる蓄電モジュールの寿命予測を出力するＷｅｂページへのリンクが含まれていてもよい。その他、ログイン情報の編集、システムに含まれる機器の編集等の管理用ページが含まれていてもよい。
【００５５】
ステップＳ２０５にて蓄電モジュール群Ｌを含むシステムへのリンクが選択されていないと判断された場合（Ｓ２０５：ＮＯ）、制御部２０は、パワーコンディショナＰ、無停電電源装置Ｕ、又は整流器Ｄの内のいずれか１つ又は複数を使用したシステムの情報を表示するためのＷｅｂページの情報をクライアント装置３へ送信する（ステップＳ２１１）。
【００５６】
制御部２０は、選択されたシステムに含まれるパワーコンディショナＰ、無停電電源装置Ｕ、又は整流器Ｄの内のいずれか１つ又は複数夫々について詳細情報の選択を受け付ける（ステップＳ２１２）。制御部２０は、選択された装置における状態（構成、電流値、電圧値等のパラメータ）を示すＷｅｂページをクライアント装置３へ送信し（ステップＳ２１３）、処理をステップＳ２０９へ進める。ステップＳ２１３においても、他の詳細情報として選択されたシステム又は装置に対応する通信デバイス１のＷｅｂサーバへのリンク情報をクライアント装置３へ送信してもよい（Ｓ２１３）。ステップＳ２１３の処理後、ステップＳ２１０で他のページへの遷移の指示を受け付けていないと判断された場合（Ｓ２１０：ＮＯ）、制御部２０は処理をステップＳ２１２へ戻す。ステップＳ２１２にて詳細情報の選択が受け付けられない間は、選択されたシステムの情報のＷｅｂページの表示状態のままとなる。
【００５７】
図５〜図１０に示す画面例を用い、図４の表示処理について具体的に説明する。図５は、ログイン後に表示される画面例を示す図である。図５は、ステップＳ２０４において、ログイン情報により抽出されたシステム又は装置の名称の一覧を含むＷｅｂ画面３３０（クライアント装置３の表示部３３に表示される画面）を示す。図５の例であれば、図１に示したメガソーラー発電システムＳの名称「ＸＹ市メガソーラーシステム」、火力発電システムＦの名称「ＷＺ発電所システム」、「Ｋ鉄道システム」、「Ｘ工場ＵＰＳ」等が夫々、識別情報と共にリンクとして表示されている。一覧のＷｅｂ画面には、各システムのその時点における状態（正常／異常）、各システムにおける測定パラメータのグラフ、システムに使用される蓄電モジュールの寿命予測を各出力するためのアイコンが現状把握／情報分析のために含まれている。
【００５８】
サーバ装置２から提供されるＷｅｂページに基づき表示されるＷｅｂ画面３３０には、「システム検索」、「寿命予測」、「ダウンロード」、「レポート」等のメニュー３３１が含まれる。メニュー３３１の内、「システム検索」が選択された場合、アクセス権限を有するシステム又は単体装置の各情報へのリンク情報の一覧を含むページ（図５）が表示される。「寿命予測」がクライアント装置３の操作部３４の操作により選択された場合、選択されるシステムにおける蓄電素子の寿命予測の実行を受け付けるページが表示される。「ダウンロード」が選択された場合、選択されるシステムに含まれる各機器、蓄電モジュール群Ｌの状態を所定の形式にてファイルとして一括取得するためのページが表示される。「レポート」が選択された場合、サーバ装置２自身の情報、サーバ装置２で取得される情報を文書形式にて取得するためのページが表示される。「新規登録」が選択された場合、ログイン情報の新規登録、蓄電モジュール群Ｌを含むシステム又は電源関連装置の新規登録を受け付けるためのページが表示される。「編集」が選択された場合、既に登録されているログイン情報の編集、又は、既に登録されているシステム若しくは装置の情報についての編集を受け付けるためのページが表示される。
【００５９】
更にＷｅｂ画面３３０には、ログアウト又は終了操作のためのボタン３３２が含まれている。
【００６０】
次に、システムが選択された場合の画面例について説明する。図６は、システム毎に一括して表示される画面例を示す図である。図６は、ステップＳ２０６により表示される画面例を示している。具体的には、図５に表示されたＷｅｂ画面３３０で例えば、多数の蓄電モジュール群Ｌと、パワーコンディショナＰとが使用されている「ＸＹ市メガソーラーシステム」がクライアント装置３の操作部３４の操作により選択された場合に表示部３３に表示される。図６の画面例では、「ＸＹ市メガソーラーシステム」が用いている蓄電システム１０１のシステム構成に合わせて、２つのパワーコンディショナＰ、及び、複数のバンクに構成された蓄電モジュール群Ｌ夫々の名称が示されている。蓄電モジュール群Ｌについてはその階層構造を展開するための「＋」アイコン３３３と、各々の詳細情報を表示するためのアイコン３３４と、詳細情報（リアルタイム）を表示させるためのアイコン３３５とが配置されている。アイコン３３５は、通信デバイス１が搭載されている装置について、デバイスの識別情報と共に配置されている。
【００６１】
図６に示すように、選択されたシステム毎に一括表示するＷｅｂ画面３３０には、選択されたシステムに対するメニューアイコン３３８が含まれる。メニューアイコン３３８は例えば、「異常履歴」、「統計情報」、「寿命予測」、及び「装置一覧」のメニューを含む。「異常履歴」のメニューアイコンがクライアント装置３の操作部３４の操作により選択された場合、対象のシステム全体に含まれる蓄電モジュール群Ｌ及び電源関連装置にて検知された異常又は注意（警告）ログが一括して表示される。「統計情報」が選択された場合は、対象のシステム全体についての統計情報（電圧、電流、温度等の推移）のグラフが一括して表示される。「寿命予測」が選択された場合、システム全体又はシステムに含まれる各蓄電モジュール群Ｌに対する寿命予測の結果を得るためのインタフェースが表示される。「寿命予測」については詳細を後述する。「装置一覧」が選択された場合、システムに含まれているパワーコンディショナＰ、蓄電モジュール群Ｌ、及び該蓄電モジュール群Ｌに搭載されている管理装置Ｍ等について装置の一覧が表示される。装置の一覧には、品名、型番等の詳細情報が含まれていてもよい。
【００６２】
このように、「ＸＹ市メガソーラーシステム」に含まれている蓄電モジュール群Ｌ及び蓄電モジュール群Ｌに関連する電源関連装置の情報を一括して表示し、図６に示したページから、その構成を把握させながら各機器の状態（詳細情報）を表示させることが可能になる。
【００６３】
図７は、システム毎に一括して表示される他の画面例を示す図である。図７の画面例は、図６中の蓄電モジュール群Ｌについての詳細情報を表示するためのアイコン３３３が選択された場合に表示される。「ＸＹ市メガソーラーシステム」の蓄電システム１０１は、各々ｎ個（ｎは自然数。本実施形態では１２個）のセルを含むモジュールを複数直列させたバンクを、複数並列に持つドメインを複数有する構成の蓄電モジュール群Ｌを持っている。これに応じて図７に示すように、ドメインの１つが選択されると、該ドメインに所属するバンクに対応するリストが展開され、１つのバンクが選択されると、該バンクに所属する蓄電モジュールのリストが展開される。蓄電モジュールは各々ｎ個のセルを含んでおり、クライアント装置３の操作部３４の操作により、画面３３０上で蓄電モジュールの１つが選択されると該モジュールに含まれるセルのリスト（イメージ）が展開される。
【００６４】
図７の蓄電モジュール群Ｌの階層構造の展開を表示させた例では、アイコン３３５は、通信デバイス１が搭載／接続されている管理装置Ｍに対応する階層（図７では、ドメイン）のみに配置されている。アイコン３３５の配置例は、図７には限らない。通信デバイス１がバンク毎に階層構造で接続されている場合、各バンクに対応させてアイコン３３５が配置されてもよい。
【００６５】
図８は、詳細情報の表示例を示す図である。図８は、図７中の蓄電モジュール群Ｌのドメインに対応する階層のアイコン３３４が選択された場合に表示されるページの一例である。図８では「ドメイン情報」として、ドメインの状態（正常／異常）、ドメインに含まれるバンクの数（総バンク数）、全バンク中で稼働しているバンクの数（稼働バンク数）、そのドメインの総電圧、電流、セル電圧、ＳＯＣ、温度の分布（最高値、平均値、及び最低値）を表示している。サーバ装置２によって、通信デバイス１を介して「ドメイン情報」が取得された「データ日時」も表示部３３におけるＷｅｂ画面３３０に表示されている。「ドメイン情報」には、そのドメインに含まれるバンクの詳細情報へのリンクがバンクの数分、含まれている。
【００６６】
図９は、詳細情報の表示例を示す図である。図９は、図７中のバンクに対応する階層のアイコン３３４が選択された場合に表示されるページの一例である。図８中でバンクの詳細情報へのリンクが選択された場合にもこのページが表示される。図９では「バンク情報」として、バンクの状態（正常／異常）、バンクに含まれるモジュールの数（モジュール数）、そのバンクの総電圧、電流値及びＳＯＣ、バンクに含まれる電圧及び温度の分布を表示している。サーバ装置２によって、通信デバイス１を介して「バンク情報」が取得された「データ日時」も表示部３３におけるＷｅｂ画面３３０に表示されている。「バンク情報」には、そのバンクに含まれる蓄電モジュールの詳細情報へのリンクが、モジュールの数分、含まれている。
【００６７】
図１０は、詳細情報の表示例を示す図である。図１０は、図７中のモジュールに対応する階層のアイコン３３５が選択された場合に表示されるページの一例である。図９中でモジュールの詳細情報へのリンクがクライアント装置３の操作部３４の操作により選択された場合にもこのページが表示される。図１０では「モジュール情報」として、蓄電モジュールに含まれる各セルの電圧、及び２つのセル群に設けられている温度センサの出力が表示されている。
【００６８】
図７から図１０に表示された蓄電モジュール群Ｌの階層毎のページの画面は例示であって、例えばドメイン情報が存在せず、蓄電モジュール群Ｌが複数の並列のバンクで構成されているといった場合は、再上位層はバンクとして表示される。蓄電モジュール群Ｌが、１つのバンク即ち、直列に例えば１６個接続された蓄電モジュールで構成されているのみであれば、対応する通信デバイス１から得られるモジュール情報（図１０）のみが表示される。
【００６９】
図１１は、詳細情報の表示例を示す図である。図１１は、図６中のドメインに対応する階層のアイコン３３５が選択された場合に表示される画面であって、図３に示した管理装置Ｍに搭載／接続されている通信デバイス１のＷｅｂサーバにより提供される新たなＷｅｂ画面３３６の例を示している。図１１に示すＷｅｂ画面３３６を表示するためには、Ｗｅｂサーバへログインすることが必要になる。このときのログイン情報は図５のサーバ装置２で提供されるＷｅｂサーバへのログインと共通としてあり、これにより改めてログイン情報を入力する操作を行なうことなしに自動的にログインして図１１のページが表示されることが好ましい。
【００７０】
図１１に示す例において通信デバイス１は、ドメインに所属するバンク夫々に設けられている管理装置Ｍを介して各蓄電モジュールに搭載されている制御基板から得られる情報を、Ｗｅｂ画面３３６を通じて直接的にクライアント装置３へ提供する。例えば異常が検知されている場合にその異常の内容若しくは異常個所を、文字情報（エラーコード）、又は、色、アニメーション、模式図などのイメージによって表示する。通信デバイス１からＷｅｂ画面３３６により提供される情報は基本的に、その時点における最新の情報としてあり、サーバ装置２の記憶部２１に記憶してあるデータと区別されている。
【００７１】
通信デバイス１のＷｅｂサーバの機能により表示されるＷｅｂ画面３３６は、通信デバイス１を介して管理装置Ｍ、又は制御基板への処理を実行するためのメニューアイコン３３７を複数含んでいることが好ましい。複数のメニューアイコン３３７は例えば夫々、通信デバイス１を介して得られる上述したような異常の情報を含む各種情報を表示するためのメニュー、通信デバイス１への時刻、通知用のメールアドレス等の設定、又は再起動（シャットダウン）のためのメニューを含む。メニューアイコン３３７は、保守担当者権限を有するものに限られる遠隔操作のための設定、ログの間隔等の設定メニューが含まれてもよい。
【００７２】
図１１は蓄電モジュール群Ｌに設けられた管理装置Ｍに搭載されている通信デバイス１から提供されるＷｅｂ画面３３６を例としたが、パワーコンディショナＰ、無停電電源装置Ｕ、及び整流器Ｄに搭載されている通信デバイス１からも同様のＷｅｂ画面が提供される。
【００７３】
このように、ネットワークカード型として蓄電モジュールのみならず、パワーコンディショナＰ、無停電電源装置Ｕ、及び整流器Ｄへも汎用的に搭載可能な通信デバイス１を用いて各装置の情報をサーバ装置２に収集する。これにより、個別の装置へ通信デバイス１を介して接続することができるのみならず、サーバ装置２から各蓄電モジュール及び電源関連装置の情報を、それらを含むシステム又はロケーション単位にて一括でクライアント装置３から取得することが可能である。
【００７４】
蓄電システム１０１に対する寿命予測のメニューが選択された場合の処理について説明する。図１２は、寿命予測の依頼を受け付ける画面の例を示す図である。図１２は、図６中のメニューアイコン３３８の内の「寿命予測」が選択された場合に表示される画面である。図１２の画面３３０では、再度寿命予測の依頼を受け付けるアイコン３３９、負荷パターンの抽出依頼を受け付けるアイコン３４０及び依頼を受け付けた日にち及び状況を示す表示ボックス３４１を表示する。サーバ装置２では上述したように蓄電モジュール群Ｌから定期的に情報（電圧、電流、及び温度）を収集している。サーバ装置２は収集した情報に基づきシステムとしての寿命予測・推定を行なう機能を有する。寿命予測の依頼を受け付けるアイコン３３９が選択された場合、サーバ装置２の制御部２０は選択を検知し、寿命予測の演算（シミュレーション）を実行する。演算自体はサーバ装置２内で実行されてもよいが、サーバ装置２とは異なる専用装置、若しくは専用装置群で分散的に実行されるとよい。寿命予測の演算（シミュレーション）に要する時間は、収集されてある情報の量が多い程長く、例えば１から２時間を要する可能性がある。図１２に示す画面３３０は、寿命予測の演算が開始された場合、表示ボックス３４１に依頼を受け付けた日時及び演算状況を示すテキストを表示し、他のページへ遷移することができる。上述のように演算には時間を要するので、実行中に寿命予測の受け付け画面で画面３３０が固定されてしまう他の機能がその間使用できなくなることを回避するためである。サーバ装置２は、寿命予測の演算が完了すると、メニューアイコン３３８の内の「寿命予測」が選択された場合に表示される画面の表示ボックス３４１に、演算が終了した日時及び状況を示すテキスト「完了」を表示させ、演算結果のファイルをダウンロードするためのアイコンを表示させる。このアイコンがクライアント装置３の操作部３４により選択されると、クライアント装置３へ演算結果のファイルがＷｅｂブラウザ経由で送信される。サーバ装置２は寿命予測の演算が完了すると、予め記憶してあるメールアドレスに向けて演算が完了したことを通知する。途中経過をメールにて通知するようにしてもよい。メールには寿命予測の演算結果のファイルが添付されているとよい。
【００７５】
図１３は、寿命予測により得られるデータの内容例を示す図である。寿命予測により得られるデータは、図１３に示すように例えば使用開始から所定の期間（例えば１０年間）後までの蓄電素子の劣化挙動をグラフ化したもの、所定の期間中における充放電の挙動（電力、温度、電圧、電流）のシミュレーション結果をグラフ化したものを含む。その他寿命予測により得られるデータは、シミュレーション結果である関連するパラメータについての期間中の数値の推移、及び詳細な分析結果を含む。このように、総合的に表示されるＷｅｂ画面から、サーバ装置２にて収集される情報に基づくシステム毎の寿命予測の結果を得ることができる。寿命予測演算中は他の機能を停止することもなく、長期間の実績データの演算により精度のよい結果を得ることも可能である。
【００７６】
蓄電モジュール及び蓄電モジュール群Ｌが、複数のリチウムイオン電池セルから構成される例を説明した。代替的に、蓄電モジュール及び蓄電モジュール群Ｌが（或いはその一部が）複数の鉛蓄電池又はキャパシタから構成されてもよい。
【００７７】
パワーコンディショナＰは、通信デバイス１に加え、蓄電素子（リチウムイオン電池又は鉛蓄電池）と管理装置Ｍを搭載し、パワーコンディショナＰの情報と蓄電素子の情報を一括して表示させるための表示情報を送信してもよい。
【００７８】
無停電電源装置Ｕは、通信デバイス１に加え、蓄電素子（リチウムイオン電池又は鉛蓄電池）と管理装置Ｍを搭載し、無停電電源装置Ｕの情報と蓄電素子の情報を一括して表示させるための表示情報を送信してもよい。
【００７９】
整流器Ｄは、通信デバイス１に加え、蓄電素子（リチウムイオン電池又は鉛蓄電池）と管理装置Ｍを搭載し、整流器Ｄの情報と蓄電素子の情報を一括して表示させるための表示情報を送信してもよい。
【００８０】
他の実施形態として、以下の構成も実現可能である。表示部を備えるコンピュータに、蓄電素子の情報を表示させるコンピュータプログラムであって、前記コンピュータに、前記蓄電素子の情報を要求するステップ、及び要求に応じて送信された、蓄電素子の接続の構成に基づき階層状に情報を対応付けて情報を表示させるステップ、を実行させるコンピュータプログラム。この構成により、コンピュータの表示部に、図６に示す表示から、図７に示す表示に遷移させることができる。コンピュータプログラムは、コンピュータの表示部に、図７に示す表示から、図８、図９、又は図１０に示す表示に遷移させるように構成されてもよい。このコンピュータプログラムは、サーバ装置２が実行してもよいし、クライアント装置３が実行してもよい。非常に多くの蓄電セルを含む大規模な蓄電システムにおける、全体（ドメインレベル）の状態把握に加え、バンクレベル、モジュールレベル、セルレベルの状態把握を容易に行なうことができる。
【００８１】
蓄電素子、パワーコンディショナＰ、無停電電源装置Ｕ、整流器Ｄはいずれも、監視システム１００における監視対象である。蓄電素子の蓄電セルは、電源関連装置に比べて、数が非常に多い。そのため蓄電素子は、ドメインレベル、バンクレベル、モジュールレベル、セルレベルのように、階層状に（ブレークダウンして）情報が表示されることが好ましい。蓄電素子の上位の階層（例えばドメインレベル）では、図６に示すように蓄電素子と電源関連装置が同じレイヤーで情報表示されることが好ましい。これにより、蓄電素子と電源関連装置とを含むシステム全体の状態を直感的に把握できる。
【００８２】
上述の実施の形態はすべての点で例示であって、制限的なものではない。本発明の範囲は、特許請求の範囲によって示され、特許請求の範囲と均等の意味および範囲内でのすべての変更が含まれる。
【符号の説明】
【００８３】
１  通信デバイス
１０  制御部
１２  第１通信部
１３  第２通信部
２  サーバ装置
２０  制御部
２１  記憶部
２２  通信部
３  クライアント装置
３０  制御部
３２  通信部
３３  表示部
【図１】
2019115215.tif 000003
【図２】
2019115215.tif 000004
【図３】
2019115215.tif 000005
【図４】
2019115215.tif 000006
【図５】
2019115215.tif 000007
【図６】
2019115215.tif 000008
【図７】
2019115215.tif 000009
【図８】
2019115215.tif 000010
【図９】
2019115215.tif 000011
【図１０】
2019115215.tif 000012
【図１１】
2019115215.tif 000013
【図１２】
2019115215.tif 000014
【図１３】
2019115215.tif 000015
【手続補正書】
【提出日】平成30年12月12日(2018.12.12)
【手続補正１】
【補正対象書類名】明細書
【補正対象項目名】０００３
【補正方法】変更
【補正の内容】
【０００３】
無停電電源装置、安定化電源、又は発電システムにおいては、蓄電素子の保守活動が重要になる。これらのシステムに含まれる蓄電素子の充電状態（ＳＯＣ：State Of Charge ）、又は寿命予測の情報について、サーバ装置経由で、蓄電素子のユーザ又は保守担当者が遠隔から取得することを可能とする技術が提案されている。
【手続補正２】
【補正対象書類名】明細書
【補正対象項目名】００１１
【補正方法】変更
【補正の内容】
【００１１】
本開示に係る情報処理装置は、蓄電素子及び電源関連装置の情報を送信する。情報の送信は、外部からの要求に応じて、又はイベントとして実行される。情報処理装置は、前記蓄電素子又は電源関連装置の状態を含む情報を通信により取得する取得部と、取得した情報を、前記蓄電素子及び電源関連装置を夫々識別する情報と対応付けて記憶媒体に記憶する記憶処理部と、前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する送信処理部とを備える。
【手続補正３】
【補正対象書類名】明細書
【補正対象項目名】００１３
【補正方法】変更
【補正の内容】
【００１３】
上記構成により、蓄電素子及び電源関連装置夫々の状態を含む情報が、情報処理装置によって収集され、前記蓄電素子及び／若しくは電源関連装置を含むシステム毎、又は前記蓄電素子及び／若しくは電源関連装置が設置されている場所毎に、一括して表示させるための表示情報として他装置へ送信される。蓄電素子及び電源関連装置が相互に関連して動作しているシステムでは、一括して表示されることで、蓄電素子及び電源関連装置の状態把握がより効率的になる。また、電力に関する異なる監視対象の状態を一括表示させることで、システム全体の保守（計画的な保守、予防保守を含む）が行ない易くなる。
【手続補正４】
【補正対象書類名】明細書
【補正対象項目名】００１９
【補正方法】変更
【補正の内容】
【００１９】
本開示に係る情報処理システムは、蓄電素子及び電源関連装置に設けられている複数の通信デバイスと、該複数の通信デバイスと通信接続が可能な情報処理装置とを含む。該情報処理装置は、前記通信デバイスが設けられている蓄電素子又は電源関連装置の状態を含む情報を、前記通信デバイスを介して取得する取得部と、取得した情報を、前記蓄電素子及び電源関連装置を夫々識別する情報と対応付けて記憶媒体に記憶する記憶処理部と、要求に応じて、又はイベントとして、前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する送信処理部とを備える。
【手続補正５】
【補正対象書類名】明細書
【補正対象項目名】００２０
【補正方法】変更
【補正の内容】
【００２０】
本開示に係る情報処理方法は、蓄電素子及び電源関連装置の情報を、情報処理装置が要求に応じて、又はイベントとして、送信する。具体的には、前記蓄電素子又は電源関連装置に設けられている複数の通信デバイスを用いて、前記蓄電素子又は電源関連装置の状態を含む情報を通信により取得し、取得した情報を、前記蓄電素子及び電源関連装置を夫々識別する情報と対応付けて記憶媒体に記憶し、前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する。
【手続補正６】
【補正対象書類名】明細書
【補正対象項目名】００２１
【補正方法】変更
【補正の内容】
【００２１】
本開示に係るコンピュータプログラムは、表示部を備えるコンピュータに、蓄電素子及び電源関連装置の情報を表示させる。コンピュータプログラムは、前記コンピュータに、前記蓄電素子及び電源関連装置の情報を、該蓄電素子及び／若しくは電源関連装置を含むシステム毎、又は前記蓄電素子及び／若しくは電源関連装置が設置されている場所毎に、要求するステップを実行させ、要求に応じて送信された情報を、前記システム毎、又は場所毎に一括して表示するステップを実行させる。
【手続補正７】
【補正対象書類名】明細書
【補正対象項目名】００４７
【補正方法】変更
【補正の内容】
【００４７】
図４は、サーバ装置２における情報提示の処理手順の一例を示すフローチャートである。サーバ装置２は、所定の周期で接続可能な通信デバイス１を介して蓄電モジュール群Ｌに配設されている管理装置Ｍ、パワーコンディショナＰ、無停電電源装置Ｕ及び整流器Ｄ夫々の制御部から、異常が検知された場合の情報及び各時点での状態の情報を取得し、逐次記憶部２１にデータとして記憶する。そしてサーバ装置２の制御部２０は、クライアント装置３からログイン要求を受けると、以下の処理を開始する。制御部２０は、要求に対してのみならず、イベントとして以下の処理を実行してもよい。
【手続補正８】
【補正対象書類名】明細書
【補正対象項目名】００６７
【補正方法】変更
【補正の内容】
【００６７】
図１０は、詳細情報の表示例を示す図である。図１０は、図７中のモジュールに対応する階層のアイコン３３４が選択された場合に表示されるページの一例である。図９中でモジュールの詳細情報へのリンクがクライアント装置３の操作部３４の操作により選択された場合にもこのページが表示される。図１０では「モジュール情報」として、蓄電モジュールに含まれる各セルの電圧、及び２つのセル群に設けられている温度センサの出力が表示されている。
【手続補正９】
【補正対象書類名】特許請求の範囲
【補正対象項目名】全文
【補正方法】変更
【補正の内容】
【特許請求の範囲】
【請求項１】
蓄電素子及び電源関連装置の情報を、外部からの要求に応じて、又はイベントとして、送信する情報処理装置であって、
前記蓄電素子又は電源関連装置の状態を含む情報を通信により取得する取得部と、
取得した情報を、前記蓄電素子及び電源関連装置を夫々識別する情報と対応付けて記憶媒体に記憶する記憶処理部と、
前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する送信処理部と
を備える情報処理装置。
【請求項２】
前記蓄電素子が、複数の蓄電セルを含むモジュールを複数接続して構成され、前記表示情報は、前記蓄電素子の接続の構成に基づき階層状に情報を対応付けて表示させる情報である
請求項１に記載の情報処理装置。
【請求項３】
前記蓄電素子が、複数の蓄電セルを含むモジュールを複数直列に接続したバンクを並列に接続して構成される
請求項２に記載の情報処理装置。
【請求項４】
前記蓄電素子について、モジュール、蓄電セルの順に、選択に応じて情報を表示させる
請求項２又は３に記載の情報処理装置。
【請求項５】
前記表示情報には、前記蓄電素子又は電源関連装置に設けられている通信機器への接続情報が含まれている
請求項１から４のいずれか１項に記載の情報処理装置。
【請求項６】
蓄電素子及び電源関連装置に設けられている複数の通信デバイスと、該複数の通信デバイスと通信接続が可能な情報処理装置とを含み、
該情報処理装置は、
前記蓄電素子又は電源関連装置の状態を含む情報を、前記通信デバイスを介して取得する取得部と、
取得した情報を、前記蓄電素子及び電源関連装置を夫々識別する情報と対応付けて記憶媒体に記憶する記憶処理部と、
要求に応じて、又はイベントとして、前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する送信処理部と
を備える情報処理システム。
【請求項７】
蓄電素子及び電源関連装置の情報を、情報処理装置が要求に応じて、又はイベントとして、送信する情報処理方法であって、
前記蓄電素子又は電源関連装置に設けられている複数の通信デバイスを用いて、前記蓄電素子又は電源関連装置の状態を含む情報を通信により取得し、
取得した情報を、前記蓄電素子及び電源関連装置を夫々識別する情報と対応付けて記憶媒体に記憶し、
前記記憶媒体に記憶してある情報を、前記蓄電素子及び／若しくは電源関連装置を含むシステム毎、又は前記蓄電素子及び／若しくは電源関連装置が設置されている場所毎に一括して表示させるための表示情報を送信する
情報処理方法。
【請求項８】
表示部を備えるコンピュータに、蓄電素子及び電源関連装置の情報を表示させるコンピュータプログラムであって、
前記コンピュータに、
前記蓄電素子及び電源関連装置の情報を、該蓄電素子及び／若しくは電源関連装置を含むシステム毎、又は前記蓄電素子及び／若しくは電源関連装置が設置されている場所毎に、要求するステップ、及び
要求に応じて送信された情報を、前記システム毎、又は場所毎に一括して表示するステップ
を実行させるコンピュータプログラム。
【請求項９】
表示部を備えるコンピュータに、蓄電素子の情報を表示させるコンピュータプログラムであって、
前記コンピュータに、
複数の蓄電セルを含むモジュールを複数接続して構成された、蓄電素子の接続の構成に基づき、階層状に情報を対応付けて蓄電素子の情報を表示させるステップ
を実行させるコンピュータプログラム。
【請求項１０】
前記蓄電素子について、モジュール、蓄電セルの順に、選択に応じて情報を表示させる
請求項９に記載のコンピュータプログラム。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
蓄電素子の情報と、パワーコンディショナ、無停電電源装置、及び整流器の少なくともいずれか１つである電源関連装置の情報とを、外部からの要求に応じて、又はイベントとして、送信する情報処理装置であって、
前記蓄電素子及び前記電源関連装置の状態を含む情報を通信により取得する取得部と、
取得した情報を、前記蓄電素子及び前記電源関連装置を夫々識別する情報と対応付けて記憶媒体に記憶する記憶処理部と、
前記記憶媒体に記憶してある情報を、前記蓄電素子及び前記電源関連装置を含むシステム毎、又は前記蓄電素子及び前記電源関連装置が設置されている場所毎に、一括して表示させるための表示情報を送信する送信処理部と
を備える情報処理装置。
【請求項２】
前記蓄電素子が、複数の蓄電セルを含むモジュールを複数接続して構成され、前記表示情報は、前記蓄電素子の接続の構成に基づき階層状に情報を対応付けて表示させる情報である
請求項１に記載の情報処理装置。
【請求項３】
前記蓄電素子が、複数の蓄電セルを含むモジュールを複数直列に接続したバンクを並列に接続して構成される
請求項２に記載の情報処理装置。
【請求項４】
前記蓄電素子について、モジュール、蓄電セルの順に、選択に応じて情報を表示させる
請求項２又は３に記載の情報処理装置。
【請求項５】
前記表示情報には、前記蓄電素子及び前記電源関連装置に設けられている通信機器への接続情報が含まれている
請求項１から４のいずれか１項に記載の情報処理装置。
【請求項６】
蓄電素子、並びに、パワーコンディショナ、無停電電源装置、及び整流器の少なくともいずれか１つである電源関連装置に設けられている複数の通信デバイスと、該複数の通信デバイスと通信接続が可能な情報処理装置とを含み、
該情報処理装置は、
前記蓄電素子又は電源関連装置の状態を含む情報を、前記複数の通信デバイス夫々を介して取得する取得部と、
取得した情報を、前記蓄電素子及び電源関連装置を夫々識別する情報と対応付けて記憶媒体に記憶する記憶処理部と、
通信端末装置からの要求に応じて、又はイベントとして、前記記憶媒体に記憶してある情報を、前記蓄電素子及び前記電源関連装置を含むシステム毎、又は前記蓄電素子及び前記電源関連装置が設置されている場所毎に、一括して表示させるための表示情報を前記通信端末装置へ送信する送信処理部と
を備える情報処理システム。
【請求項７】
蓄電素子の情報と、パワーコンディショナ、無停電電源装置、及び整流器の少なくともいずれか１つである電源関連装置の情報とを、情報処理装置が通信端末装置からの要求に応じて、又はイベントとして、送信する情報処理方法であって、
前記蓄電素子又は前記電源関連装置に設けられている複数の通信デバイスを用いて、前記蓄電素子及び前記電源関連装置の状態を含む情報を通信により取得し、
取得した情報を、前記蓄電素子及び前記電源関連装置を夫々識別する情報と対応付けて記憶媒体に記憶し、
前記記憶媒体に記憶してある情報を、前記蓄電素子及び前記電源関連装置を含むシステム毎、又は前記蓄電素子及び前記電源関連装置が設置されている場所毎に、一括して表示させるための表示情報を前記通信端末装置へ送信する
情報処理方法。
【請求項８】
表示部を備え、情報処理装置との通信接続が可能な通信部を備えるコンピュータに、蓄電素子の情報と、パワーコンディショナ、無停電電源装置、及び整流器の少なくともいずれか１つである電源関連装置の情報とを表示させるコンピュータプログラムであって、
前記コンピュータに、
前記蓄電素子及び電源関連装置の情報を、該蓄電素子及び前記電源関連装置を含むシステム毎、又は前記蓄電素子及び前記電源関連装置が設置されている場所毎に、前記情報処理装置へ要求するステップ、及び
要求に応じて前記情報処理装置から送信された情報を、前記システム毎、又は場所毎に、一括して表示するステップ
を実行させるコンピュータプログラム。